(57)【要約】  給電ケーブルと、ブレイクアウト構造体とを含むケーブルブレイクアウトアセンブリを提供する。ブレイクアウト構造体は、単一ポートケーブルグランドを有するケーブルナットであって、給電ケーブルが単一ポートケーブルグランドを通って延びているケーブルナットと螺合する第１の端と、通過する給電ケーブルのセクションを収容する中央導管と、マルチポートケーブルグランドを有するケーブルナットと螺合する、対向する第２の端とを有する。マルチポートケーブルグランドのポートの数は給電ケーブルのスプライスの数と一致する。環境的にシールされた複数の可撓性導管が設けられ、各可撓性導管は、マルチポートグランドの各ポートと接続し、かつ各ポートから延びる第１の端と、外部デバイスと接続するように構成される第２の端とを有し、給電ケーブルのスプライスされた各セクションを内部に収容する。【選択図】図８
2013540410.tif 000002
【特許請求の範囲】
【請求項１】
ａ．第１の端と第２の端とを有するブレイクアウトエンクロージャを備えるケーブルブレイクアウトアセンブリであって、
ｂ．給電ケーブルが前記第１の端に取り付けられ、
ｃ．少なくとも２つの給電ピグテールサブアセンブリが前記第２の端に取り付けられ、
ｄ．前記給電ピグテールサブアセンブリのそれぞれが、リモートラジオヘッドに相互接続されるべき電気コネクタを備える、ケーブルブレイクアウトアセンブリ。
【請求項２】
前記ブレイクアウトエンクロージャの前記第１の端と前記第２の端とが、互いに距離を隔てて対向配置される、請求項１に記載のケーブルブレイクアウトアセンブリ。
【請求項３】
前記給電ケーブルの第１の軸線と、少なくとも１つの前記給電ピグテールサブアセンブリの第２の軸線とが、互いに平行に配置される、請求項１または２に記載のケーブルブレイクアウトアセンブリ。
【請求項４】
前記第１の軸線と前記第２の軸線との間の距離が、０〜２０センチメートルの範囲内である、請求項３に記載のケーブルブレイクアウトアセンブリ。
【請求項５】
少なくとも１つの光伝送ピグテールサブアセンブリを有するハイブリッド構成を有する、請求項１〜４のいずれか一項に記載のケーブルブレイクアウトアセンブリ。
【請求項６】
前記光伝送ピグテールサブアセンブリの数が、前記給電ピグテールサブアセンブリの数と一致する、請求項５に記載のケーブルブレイクアウトアセンブリ。
【請求項７】
前記給電ケーブルが、少なくとも１つの光ファイバを受け入れるべき少なくとも１つの第１の空き導管を備える、請求項５または６に記載のケーブルブレイクアウトアセンブリ。
【請求項８】
前記少なくとも１つの第１の空き導管は、少なくとも１つの第２の空き導管が終端する二次ブレイクアウト構造体で終端する、請求項７に記載のケーブルブレイクアウトアセンブリ。
【請求項９】
前記第２の空き導管の前記終端が、前記第１の空き導管の前記終端と対向して配置される、請求項８に記載のケーブルブレイクアウトアセンブリ。
【請求項１０】
前記給電ケーブルが、少なくとも１つの空き導管を備え、該空き導管が、光ピグテールサブアセンブリの光コネクタで終端する、請求項５〜９のいずれか一項に記載のケーブルブレイクアウトアセンブリ。
【請求項１１】
前記ブレイクアウトエンクロージャが、相互接続する下部と上部とを備える、請求項１〜１０のいずれか一項に記載のケーブルブレイクアウトアセンブリ。
【請求項１２】
前記下部および前記上部が円筒形状を有しており、ねじによって相互接続される、請求項１１に記載のケーブルブレイクアウトアセンブリ。
【請求項１３】
前記ブレイクアウトエンクロージャが、Ｕ字型の底部を備え、前記給電ケーブルおよび少なくとも１つの前記給電ピグテールアセンブリが該底部に取り付けられている、請求項１〜１０のいずれか一項に記載のケーブルブレイクアウトアセンブリ。
【請求項１４】
前記ブレイクアウトエンクロージャが、少なくとも部分的に注型用樹脂で充填されている、請求項１〜１３のいずれか一項に記載のケーブルブレイクアウトアセンブリ。
【発明の詳細な説明】
【技術分野】
【０００１】
本発明は、ケーブルブレイクアウトアセンブリ・リーモトラジオヘッド（ＲＲＨ）に関する。
【背景技術】
【０００２】
アンテナ塔から信号を増幅して送信するためのラジオヘッドや他の機器は、設置やメンテナンスをより容易にするために、従来アンテナ塔の最下部に配置されていた。しかしながら、この構成には、発生する信号損失や必要となる電力消費に関する問題がある。
【０００３】
いわゆるリモートラジオヘッド（ＲＲＨ）は、現在の新たな分散基地局の重要なサブシステムになっている。通常のリモートラジオヘッドは、アナログ‐デジタル／デジタル‐アナログコンバータおよびアップ／ダウンコンバータを有する基地局の高周波（ＲＦ）回路含む。ＲＲＨはまた、運転管理処理機能と、他の基地局に接続するための標準光インターフェースとを備えていてもよい。送信および増幅用の構成要素を塔の頂上に移動させることで、信号損失や所要電力を抑えてきた。しかしながら、信号を塔の上に延びる給電ケーブルに通過させたとしても、個々の増幅器への信号電力をブーストさせるために、直流（ＤＣ）電源ケーブルも同様に塔の上まで引く必要があった。また、このタイプの従来技術システムでは、別個の給電ケーブルを、各増幅器用の個々のラジオリード線（ｒａｄｉｏ  ｌｅａｄ）に塔の最上部で接続させる必要があった。
【０００４】
この構造では、多数のケーブルを塔の上まで引かなくてはならず、それによって多くのケーブル引き作業を伴うこととなり、また塔上のスペースが不要に占有されてしまうという問題が起こる。設置業者は、一般に必要なケーブル引き作業ごとに料金を請求するので、設置費用はケーブル数の増加に伴い増加し、また塔の所有者がケーブル数によって料金を請求する可能性があるので全体の費用が増加すると考えれば、このような構造は特に費用がかかる。塔上の多重ケーブル構成に関連する風荷重問題に加えて、多数のケーブルによって増加する重量も欠点になり得る。さらに、より多くの構成要素を使用することで、設置工程が増加する可能性、またより多くの接続に伴うメンテナンス問題が増加する可能性が発生する。
【発明の概要】
【発明が解決しようとする課題】
【０００５】
本発明の目的は、上記従来技術に伴う欠点を克服することである。
【課題を解決するための手段】
【０００６】
したがって、本発明は、電波（セル）塔の頂上にある多数の増幅器のそれぞれに電力を供給することが可能な単一の給電ケーブルおよびそれに付随する組立品を提供する能力を提供することである。さらに、本発明は、単一ケーブルにおいてＲＲＨとデータ交換を行う能力を提供する。本発明に係る構造によって、塔の上に延びるケーブルの数およびケーブル引き作業の数が削減され、また必要となる接続の数が削減される。塔の頂上において、環境的にシールされた容器内で、またはシールされた可撓性導管を通して、単一の給電ケーブルが増幅器用の多数のラジオリード線とインターフェースで接続（ｉｎｔｅｒｆａｃｅ：以下、「インターフェース接続」という）する。
【０００７】
本発明の一実施形態によれば、ケーブルブレイクアウト構造体が提供される。ブレイクアウトの数は、最終的に給電ケーブルのサイズによって決定され、当業者であれば理解できるように、より大きな給電ケーブルはより多くのブレイクアウトを提供できる。例えば、６心線給電ケーブルは３回スプライスされ、それぞれのスプライスセクションは熱線、中性線およびドレイン線を含む。給電ケーブルの各スプライスセクションのこれらの線は、例えば薄いめっき銅からなるスプライスクリンプで２つの心線および各ラジオケーブルのドレイン線と共にクリンプ（ｃｒｉｍｐ）される。各スプライス／クリンプセクションは収縮チューブ（例えば、１／２インチの収縮チューブ）でシールされている。収縮チューブはスプライス／クリンプ部を包囲し、収縮チューブの両端は、スプライスされた給電ケーブルのケーブルジャケットの部分と、ラジオリードケーブルの上にそれぞれ延びている。このようにして、個々にシールされた６つのスプライスクリンプが、１つの給電ケーブルと、３つの分離したラジオリード線との間の接合面（ｉｎｔｅｒｆａｃｅ）として設けられている。スプライス／クリンプセクションの全体も、例えば収縮チューブブート内にシールされている。収縮チューブブートも、４つの端で給電ケーブルジャケットおよび各ラジオリード線のケーブルジャケットと重なり合っている。
【０００８】
このケーブルブレイクアウトセクションは、その後ケーブルブレイクアウトエンクロージャ内でシールされる。ケーブルブレイクアウトエンクロージャは、２つの独立部を有する中空被覆管構造体であり、各独立部は、エンクロージャ内の空間と連通する開端と、略閉端とを含む。「下部」すなわち被覆管部の閉端は単一ケーブルグランドを有するケーブルナットを含む。単一ケーブルグランドを有するケーブルナットは、下部の閉端における開口から延び、かつこの開口に対してシールされており、また給電ケーブルは単一ケーブルグランドを通って延びている。単一ケーブルグランドは、最終的に給電ケーブルのジャケットに対して環境的にシールされる。この場合の（図１、図３および図４参照）「上部」すなわち蓋部の閉端は、３つの独立したケーブルナットを含む。３つのケーブルナットのそれぞれは、該ケーブルナットにシール接続され、該ケーブルナットから延びる単一ポートケーブルグランドを有している。また、各ラジオリード線がそれぞれのケーブルグランドを通って延びている。各ケーブルグランドは、最終的にラジオリード線ケーブルジャケットに対して環境的にシールされる。ラジオリード線の反対側の端は、塔の頂上での直接接続を容易にするためにラジオピグテールコネクタに接続される。ここで、例えば図５に示すように、ケーブルナットがマルチポートケーブルグランドを含み、各ラジオリード線がマルチポートケーブルグランドを通って延びることも可能であることに注意されたい。
【０００９】
ケーブルブレイクアウトエンクロージャの各部（上部および下部）の２つの開端は、互いに螺合し、かつ永久接着剤でシールされている。永久接着剤の好適な例は、スレッドロッカー（ｔｈｒｅａｄ  ｌｏｃｋｅｒ）、接着剤、ウォーターブロックおよびゲル剤を含むが、これらに限定されるものではない。これによって、例えば、ケーブルブレイクアウトエンクロージャによりさらなる環境保護がもたらされ、ケーブルブレイクアウトのための機械的安定性が増し、また、潜在的に有害なケーブルブレイクアウトの屈曲の発生が防止されるとともに、スプライスされた結合部が弱くなることまたは外れることが抑制される。したがって、ケーブルブレイクアウトの性能および信頼性と、セル全体の性能とを向上すべく短絡や接点の破壊などを防ぐために、水分や汚染物質のケーブルブレイクアウトへの侵入を防止することの重要性を考慮して、３つのレベルのシーリングが提供される。
【００１０】
本発明に係るケーブルブレイクアウトアセンブリの向上した性能および信頼性は、費用効率の優れた解決策でもある。例えば、単一の給電ケーブルを使用することで、設置費用（より少ないケーブル引き作業、より少ないホイストグリップ、アース用ストラップおよび支持ブロック）および塔料金（より少ないケーブル）が削減される。また、保守点検が必要となる頻度が、仮にあったとしても減るため、保守点検およびメンテナンス費用が削減されるか、もしくは必要ではなくなる。さらに、本発明の本実施形態に係るケーブルブレイクアウトアセンブリによって、給電ケーブルをより長いリール（例えば、２００ｍ以上）上に供給することも可能となる。また、工具の必要がない直接配置のための「プラグアンドプレイ」特性が提供され、それによって、ハードウエアおよび設置時間が削減される。
【００１１】
本発明の一態様によれば、ケーブルブレイクアウトアセンブリは、一巻の給電ケーブルと、給電ケーブルがスプライスされる前の位置でケーブルブレイクアウトアセンブリの一端に取り付けられたブレイクアウトエンクロージャ（被覆管）の一部分と、エンクロージャ内に収容され、ラジオリード線がクリンプされてラジオリード線と接続するシールされたスプライス／クリンプブレイクアウトセクションと、ブレイクアウトエンクロージャの他端から突出するラジオリード線の延長部とを含み、ラジオリード線の延長部には、例えばコネクタが装着されており、それによって本発明のプラグアンドプレイの効果が得られる。
【００１２】
本発明の他の実施形態によれば、ケーブルブレイクアウト構造が提供され、これによってもまた、塔上に通る単一の給電ケーブルから頂上に位置する多数のラジオリードケーブルへのケーブルブレイクアウトが容易になる。本発明の本実施形態に係るケーブルブレイクアウトは、以下スプライスパックと称し、性能および信頼性を犠牲にすることなく、ブレイクアウトのサイズを減少させ、クリンプを取り除き、組立てを簡略化し、費用をさらに削減することができるといったさらなる利点を提供する。さらに、追加の収縮チューブまたはブート、あるいは格納構造を必要とせずに、安全なレベルの環境保護が提供される。
【００１３】
スプライスパックは、中央貫通孔を有し、ねじ状給電ケーブル側と、中央導管部と、ねじ状ケーブルブレイクアウト側との３つの異なる部分を含む単一構造体である。ねじ状給電ケーブル側の外径と、ねじ状ケーブルブレイクアウト側の外径とは略同一である。一方で中央導管部の外径はこれらの外径よりも小さく、中央導管部は４つの平坦側面を含む（図７（Ａ）および（Ｂ）参照）。また、スプライスパックの外形は「Ｈ」形状であるため、この形状によって、例えば塔の頂上で、パイプクランプを使用して簡単かつ十分にスプライスパックを固定できるようになる。加えて、中央導管の中心にある４つの平坦面によって、組立ての際にレンチに関連して使用するのに必要な保持面が提供される。
【００１４】
ねじ状給電ケーブル側の内径と、中央導管部の内径とは略同一である。一方でケーブルブレイクアウト側の内径は、前記他の２つの部分の内径よりも大きい。給電ケーブル側は、給電ケーブルが通過する単一ポートケーブルグランドと螺合するように構成されており、単一ポートケーブルグランドはケーブルグランド機能（例えば、ケーブルジャケットとしっかりと係合するシリコーン圧縮ガスケットを含む）を使用して給電ケーブルに対して環境的にシールされている。ケーブルブレイクアウト側は、マルチポートケーブルグランドと螺合するように構成されており、個々の可撓性導管がマルチポートケーブルグランドを通って延びている。可撓性導管は、外表面の上を耐水性収縮チューブでシールされており、分離したケーブル心線セクションを内部に収容する。マルチポートケーブルグランドは、単一ポートグランドと給電ケーブルジャケットとの間の環境的シールに関連して上述したものと同様の方法で、それぞれの可撓性導管上に環境的にシールされている。特定の用途にとって有効であると判断される場合は、個々のケーブルグランドを使用することも可能である。
【００１５】
環境的に保護された各可撓性導管内の分離したケーブルセクションの両端は、それぞれハイピンカウント（ｈｉｇｈ  ｐｉｎ  ｃｏｕｎｔ）バッカニアコネクタ（Ｂｕｃｃａｎｅｅｒ  ｃｏｎｎｅｃｔｏｒ）の一端などのデバイスと結合しており、ハイピンカウントバッカニアコネクタの他端はラジオリードケーブルに接続されている。すなわち、そのような構造では、バッカニアコネクタが分離した給電ケーブルセクションとそれぞれのラジオリードケーブルとの間のインターフェースとして機能する。可撓性導管内の給電ケーブルセクションとインターフェース接続可能な他のデバイスまたはケーブルとしては、リモートラジオヘッド（ＲＲＨ）、アンテナ、リモート電子チルト（ＲＥＴ）および他の好適なコネクタが挙げられるが、これらに限定されるものではない。
【００１６】
本発明の第２の実施形態の他の態様によれば、ケーブルブレイクアウトアセンブリは、一巻の給電ケーブルと、給電ケーブルが分割される前の位置でケーブルブレイクアウトアセンブリの一端に取り付けられたスプライスパックブレイクアウト構造体と、スプライスパックブレイクアウト構造体の他端から突出する可撓性導管とを含み、可撓性導管には、例えばコネクタが装着されており、それによって本発明のプラグアンドプレイ効果が得られる。
【００１７】
ドレイン線を使用しない場合は、チューブエンクロージャまたはスプライスパックを介した接地は、ＥＭＩ／ＲＦＩコードグリップの使用によって維持されることになる。このようなコードグリップを使用することによって、ケーブル（給電ケーブルおよびラジオリード線）の外側シールドを通る電気路が、コードグリップを通過してケーブルブレイクアウト構造体の「被覆管」またはスプライスパックへ向かうように完成される。ＥＭＩ／ＲＦＩコードグリップについての詳細は、添付書類で説明される（ＣＯＮＴＡ‐ＣＬＩＰ社のウェブサイト参照）。
【００１８】
一実施形態では、本発明に係るケーブルブレイクアウトアセンブリは、スプライスされるように、または複数のセクションに分離されるように構成される給電ケーブルを備え、各セクションは少なくとも熱線および中性線を含む。複数の給電ケーブルセクションに対応した複数のラジオリード線は、クリンプまたはそれに類似した手段で給電ケーブルのスプライスされたそれぞれのセクションにつながっていた。ブレイクアウトエンクロージャは、閉端と開端とを有する第１の部分であって、開端が第１の部分の内部区間へのアクセスを可能にする第１の部分と、閉端と開端とを有する第２の部分であって、開端が第２の部分の内部空間へのアクセスを可能にする第２の部分と、第１の部分の閉端に設置され、かつ第１の部分の閉端から延びる単一ポートケーブルグランドを有するケーブルナットであって、給電ケーブルが単一ポートケーブルグランドを通って延びているケーブルナットと、第２の部分の閉端に設置され、かつ第２の部分の閉端から延びる少なくとも単一ポートのケーブルグランドを有する１つ以上のケーブルナットであって、ポートの総数は複数のラジオリード線の数と一致するようになっており、ラジオリード線のそれぞれの端が該ケーブルグランドを通って延びているケーブルナットとを含む。複数の第１の耐環境シール構造体は、給電ケーブルのスプライスされたセクションとそれぞれのラジオリード線との間の各クリンプを包囲し、第２の耐環境シール構造体は、各シールされたクリンプを包囲し、かつシールされたクリンプの直前で給電ケーブルのケーブルジャケット部の上に延び、またシールされたクリンプの直後で各ラジオリード線のケーブルジャケット部の上に延び、クリンプかつシールされたケーブルブレイクアウトセクションを画定する。ブレイクアウトエンクロージャの第１の部分の開端はブレイクアウトエンクロージャの第２の部分の開端と螺合し、シール材でシールされて、クリンプかつシールされたケーブルブレイクアウトセクションを内部に封入する。さらに、ケーブルブレイクアウトアセンブリは、複数の心線を有する給電ケーブルであって、複数の心線セクションに分離されるように構成される給電ケーブルと、単一ポートケーブルグランドを有するケーブルナットであって、給電ケーブルが単一ポートケーブルグランドを通って延びているケーブルナットと螺合する第１の端、通過する給電ケーブルのセクションを収容する中央導管、および、マルチポートケーブルグランドを有するケーブルナットと螺合する、対向する第２の端であって、マルチポートケーブルグランドのポートの数が給電ケーブルのスプライスの数と一致する第２の端を有するブレイクアウト構造体（スプライスパック）と、複数の可撓性導管であって、それぞれが、マルチポートグランドの各ポートとインターフェース接続し、かつ各ポートから延びる第１の端、および、外部デバイスとインターフェース接続するように構成される第２の端を有し、給電ケーブルのスプライスされた各セクションを内部に収容する可撓性導管と、を備えていてもよい。
【００１９】
本発明に係る好適なケーブルブレイクアウトアセンブリは、通常、第１の端と第２の端とを有するブレイクアウトエンクロージャを備える。給電ケーブルが第１の端に取り付けられ、少なくとも２つの給電ピグテールサブアセンブリが第２の端に取り付けられる。各給電ピグテールサブアセンブリは、リモートラジオヘッドと相互接続されることを見込んだ電気コネクタを備える。適宜、電力給電ピグテールサブアセンブリをＲＲＨに結線で接続することが可能である。一実施形態では、ブレイクアウトエンクロージャの第１の端および第２の端は互いに距離を隔てて対向配置されている。適宜、第１の端および第２の端を互いに角度をなして配置することが可能である。給電ケーブルの第１の軸線と少なくとも１つのピグテールサブアセンブリの第２の軸線とが、互いに平行に配置されることが好ましい。適用分野に応じて、給電ケーブルの第１の軸線と少なくとも１つのピグテールサブアセンブリの第２の軸線とを互いに角度をなして配置することが可能である。一実施形態では、第１の軸線と第２の軸線との間の距離は、０〜２０センチメートル（ｃｍ）の範囲内である。好適な実施形態では、ケーブルブレイクアウトアセンブリは、少なくとも１つの光伝送ピグテールサブアセンブリを有するハイブリッド構造を有しており、それによって光伝送ピグテールサブアセンブリの数は給電ピグテールサブアセンブリの数と一致する。
【００２０】
さらに、本発明に係る給電ケーブルは、少なくとも１つの光ファイバを受け入れることを見込んだ少なくとも１つの第１の空き導管（ダクトワーク）を備える。光ファイバは、第１の空き導管内で、第１の空き導管に対して変位可能であることが好ましい。適宜、それぞれの光ファイバに対して単一のダクトワークを設けることが可能である。一実施形態では、第１の空き導管は、少なくとも１つの光ファイバを受け入れることを見込んだ少なくとも１つの第２の空き導管が終端する二次ブレイクアウト構造体において終端する。第２の空き導管は、二次ブレイクアウト構造体に対して第１の空き導管と略対向するように配置されることが好ましい。その代わりに、またはそれに加えて、給電ケーブルが数個の第１の空き導管を備え、それぞれの第１の空き導管が光ピグテールサブアセンブリの光コネクタで直接終端していてもよい。
【００２１】
ブレイクアウトエンクロージャは、例えば、ねじまたは他の手段によって相互接続される下部および上部を備えていてもよい。下部および上部は円筒状に形成されていてもよい。ブレイクアウトエンクロージャは、少なくとも部分的に注型用樹脂で充填されていてもよい。
【００２２】
本発明に係るケーブルブレイクアウトアセンブリは、通常、好ましくは、工場で終端処理されたファイバと、一体化かつシールドされた電力ケーブルとを有するハイブリッドケーブルアセンブリを備える。プラグアンドプレイ設置によってケーブルブレイクアウトアセンブリを設置することが可能となり、それによって、従来技術とは異なり、現場での終端処理、ラッピングまたは他の準備が不要となる。
【００２３】
本発明のさらなる理解のために、添付図面と合わせて理解される以下の詳細な説明を参照されたい。この詳細な説明は、添付の請求の範囲に記載の発明を限定するものと見なされるべきではない。図面は以下を示している。
【図面の簡単な説明】
【００２４】
【図１】本発明の第１の実施形態に係るケーブルブレイクアウトアセンブリの分解斜視組立図である。
【図２】図１に示すアセンブリのシールされたスプライス／クリンプ部分の概略断面図である。
【図３】図１および図２に関連して示される、本発明の第１の実施形態に係るブレイクアウトエンクロージャの斜視組立図である。
【図４】図３に記載のブレイクアウトエンクロージャの、組み立てられた状態での斜視組立図である。
【図５】本発明の第１の実施形態の別の態様に係るブレイクアウトアセンブリの組み立てられた状態での図であり、ブレイクアウトエンクロージャの上部が複数のケーブルグランドを備え、ラジオリード線は該複数のケーブルグランドを通って延びている。
【図６】本発明の第２の実施形態に係る、スプライスパックと呼ばれるケーブルブレイクアウトアセンブリの概略側面図である。
【図７】（Ａ）は図６に示すスプライスパックブレイクアウトアセンブリの断面図、（Ｂ）は正面図である。
【図８】ハイブリッドケーブルブレイクアウトアセンブリの第１の実施形態を示す第１の斜視図である。
【図９】図９に記載のハイブリッドケーブルブレイクアウトアセンブリの第２の斜視図である。
【図１０】図８のＤ部の詳細図である。
【図１１】図８のＥ部の詳細図である。
【図１２】ハイブリッドケーブルブレイクアウトアセンブリの第２の実施形態を示す斜視図である。
【図１３】ハイブリッドケーブルブレイクアウトアセンブリの第３の実施形態を示す図である。
【図１４】ハイブリッドケーブルブレイクアウトアセンブリの第４の実施形態を示す図である。
【発明を実施するための形態】
【００２５】
特に何も示されていない場合は、類似部材は同一符号で表示される。
【００２６】
図１は、本発明の第１の実施形態に係るケーブルブレイクアウトアセンブリ１００の分解斜視組立図である。ケーブルブレイクアウトアセンブリ１００は給電心線ワイヤ１を含み、この給電心線ワイヤ１は、ブレイクアウトエンクロージャ（被覆管）１６の下部４の閉端から延びる大ケーブルナット３の大ケーブルグランド２を通って送られる。心線給電ケーブル１は、符号５〜９で示すように、スプライスされ、各ラジオ導線とクリンプされ、また収縮チューブでシールされる。収縮ブート１１が、符号５〜９で示すシールされたスプライス／クリンプ領域の上に装着される。クリンプかつシールされたラジオリード線セクションは、ブレイクアウトエンクロージャ（被覆管）の上部１０の閉端から延びる各ケーブルナット１３の３つのケーブルグランド１２を通って送られる。各ラジオリード線は収縮シールされ、（符号１４で示すように）色分けされており、符号１５で給電ピグテールサブアセンブリとインターフェース接続し、この給電ピグテールサブアセンブリにはそれぞれコネクタデバイスが取り付けられており、それによってプラグアンドプレイ接続性が可能になる。
【００２７】
図２は、図１に示すアセンブリのシールされたスプライス／クリンプ部の概略断面図である。
【００２８】
図３は、図１および図２に関連して示される、本発明の第１の実施形態に係るブレイクアウトエンクロージャ１６の斜視組立図である。ブレイクアウトエンクロージャ１６は、取付位置において第１の軸線３１に沿って上部１０と螺合する下部４を備える。図示されている実施形態では、エンクロージャ１６の下部４および上部１０（チューブエンクロージャおよびキャップエンクロージャ）はアルミニウム製である（例えば、ねじ状接合面を有する黒アルマイト）。ケーブルグランドは、シリコン製のインサートおよびシールを有するニッケルめっき真鍮からなる（温度定格：−４０〜２００℃、ＩＰ６８  ＮＥＭＡ  ４ｘ）。第１のケーブルグランド２が第１の軸線３１と同軸に配置される一方で、第２のケーブルグランド１２は第１の軸線３１から外れて配置される。第１のケーブルグランド２および第２のケーブルグランド１２は、互いに平行に配置される。図４は、図３に記載のブレイクアウトエンクロージャ１６の、組立てられた状態での斜視組立図である。給電ケーブル／心線１、ブレイクアウトエンクロージャ１６および３つのラジオリード線１４が確認できる。
【００２９】
図５は、本発明の第１の実施形態の別の態様に係るブレイクアウトアセンブリ１００の組立図であり、ブレイクアウトエンクロージャの上部がマルチポートケーブルグランドを有するケーブルナットに取り付けられ、各ラジオリード線がマルチポートケーブルグランドを通って延びている。給電心線ワイヤ１の１つから３つのケーブルへの分割構造の一例を模式的に説明している。
【００３０】
図６は、本発明の第２の実施形態に係る、スプライスパック２００と呼ばれるケーブルブレイクアウトアセンブリの概略側面図であり、図７（Ａ）および（Ｂ）は、図６に示すスプライスパックブレイクアウトアセンブリの断面図である。スプライスパック２００の好適な材料としては、例えば、プラスチック、ポリカーボネート、ナイロン、アルミニウム、ステンレス鋼および他の好適な材料が挙げられるが、これらに限定されるものではない。スプライスパック２００の空洞は、必要に応じて既知の方法によってポッティング充填剤で充填することが可能であり、それによって環境汚染の可能性が排除される。
【００３１】
心線ケーブル１は、単一ポートケーブルグランド２を有するケーブルナット３を通って、スプライスパック２００の入力端２０１に通される。ケーブル１の心線は、スプライスパック２００の中央導管部２０２を経由してブレイクアウト端２０３に送られおり、このブレイクアウト端２０３は、マルチポートケーブルグランド２０５を有するケーブルナット２０４とインターフェース接続している。ケーブル１の心線は、マルチポートケーブルグランド２０５のそれぞれのポートを通過して各可撓性導管２０６につながっており、この可撓性導管２０６の表面は、耐水性の収縮チューブ２０７でシールされている。例えば、ステンレス鋼、アルミニウム、銅またはプラスチックからなり、またケーブル心線を内部に収容したシールされた可能性導管２０６は、それぞれがコネクタデバイスに接続されている。コネクタデバイスとしては、バッカニアコネクタ、ＲＲＨ、ＲＢＴ、アンテナ、および他の好適なコネクタなどが挙げられるが、これらに限定されるものではない。
【００３２】
図８および図９は、本発明のさらなる実施形態に係るケーブルブレイクアウトアセンブリ１００の部分切欠斜視組立図である。図１０は図８のＤ部の詳細を示し、図１１は図８のＥ部の詳細を示す。
【００３３】
ケーブルブレイクアウトアセンブリ１００は給電心線ワイヤ（給電ケーブル）１を含み、この給電心線ワイヤ１は、ブレイクアウトエンクロージャ（被覆管）１６の下部４の閉端から延びる大ケーブルナット３の大ケーブルグランド２を通って送られる。内部が確認できるように、ブレイクアウトエンクロージャ１６は部分的に切り取った状態で表示している。心線給電ケーブル１はハイブリッド構成を有しており、電気ワイヤ２０およびグラスファイバ２１をケーブルシース１７内に備える。給電ケーブル１の電気ワイヤ２０は、ピグテールサブアセンブリ１５を介して電気コネクタ１８と相互接続している。適用分野に応じて、電気ワイヤ２０は連続的にピグテールサブアセンブリ１５まで達していてもよい。その代わりに、またはそれに加えて、電気ワイヤ２０をブレイクアウトエンクロージャ１６内でスプライスすることが可能である。例えば、収縮ブートをシールされたスプライス／クリンプ領域上に装着する。クリンプかつシールされたラジオリード線セクションは、ブレイクアウトエンクロージャ（被覆管）１６の上部１０の閉端から延びる各小ケーブルナット１３の４つの小ケーブルグランド１２を通って送られる。適宜、各ラジオリード線１４を収縮シールかつ色分けし、給電ピグテールサブアセンブリ１５にインターフェース接続する。この給電ピグテールサブアセンブリ１５にはそれぞれコネクタデバイス２０が取り付けられており、それによってプラグアンドプレイ接続性が可能になる。
【００３４】
適宜、コネクタデバイス２０を電力供給のために直接対応するＲＲＨに接続する代わりに、コネクタデバイス２０を、特定のＲＲＨまたはデバイスに適合される特定のインターフェースケーブルまたは接続デバイスを介して間接的に相互接続されることを見込んだ標準インターフェースとして設計することが可能である。したがって、本発明に係るケーブルブレイクアウトアセンブリ１００の、工場での完全で標準化された組立てがさらに簡略化される。
【００３５】
見て分かるように、光ファイバ２１の数は光伝送ピグテールサブアセンブリ２２に取り付けられた光コネクタ１９の数と一致している。各光コネクタ１９は、対応するＲＲＨ（詳細には示さず）または他のデバイスに直接的または間接的に相互接続されることが見込まれている。好適な実施形態では、光ファイバ２１はスプライスされない（スプライスレス構成）。その代わりに、給電心線ケーブル１は少なくとも１つのダクトワーク（第１の空き導管）２３を備え、このダクトワーク２３は、表示されている実施形態では、ブレイクアウトエンクロージャ１６の内部で終端している。ダクトワーク２３は、１つまたはいくつかの光ファイバ２１を受け入れることが見込まれている。好ましくは、後で必要に応じて挿入できるように、光ファイバ２１はダクトワーク２３に対して長さ方向に変位可能となっている。適宜、個々のダクトワーク２３がそれぞれの光ファイバ３２を受け入れるようにすることが可能である。必要であれば、個々のダクトワーク２３をスプライスすること、または光伝送ピグテールサブアセンブリ２２まで連続的に到達させることが可能である。それによって、光ファイバ２１をスプライスする必要がなくなる。さらなる利点は、ダクトワーク２３内に配置された光ファイバ２１の長さおよび位置を、デバイスが組み立てられた後に調整できることである。図８において確認できるように、図示されている実施形態では、給電ケーブル１、給電ピグテールサブアセンブリ１５および光伝送ピグテールサブアセンブリ２２は互いに距離を隔てて配置されている。
【００３６】
図１１において最もよく確認できるように、図示されている実施形態では、ダクトワーク２３は、光ファイバ２１用の二次ブレイクアウト構造体２４で終端している。図１１において、不可視の線は破線で表示している。二次ブレイクアウト構造体２４は、ブレイクアウトハウジング１６の一端に取り付けられている。二次ブレイクアウト構造体２４はスプライスパックハウジング２５を備え、このスプライスパックハウジング２５の内側で給電ケーブル１からのダクトワーク２３が終端している。スプライスパックハウジング２５は、ブレイクアウトエンクロージャ１６の上部１０の開口を通って延びている。スプライスパックハウジング２５は、その内側端にダクトワーク２３が取り付けられる内側グランド２６備える。スプライスパック２５は空洞２８を包囲し、ダクトワーク２３はこの空洞２８で終端している。空洞２８の反対側の端には、４つの第２の空き導管（小空き導管）２９が取り付けられる外側グランド２７が配置されている。図示されている実施形態では、ダクトワーク（第１の空き導管）２３および小導管２９は、成型化合物（ｃａｓｔｉｎｇ  ｃｏｍｐｏｕｎｄ）３０によってスプライスパックハウジング２５に取り付けられている。空き導管２３および２９は、他の方法によってスプライスパックハウジング２５に取り付けることも可能である。
【００３７】
図示されている実施形態では、第１の空き導管２３は、空洞２６内に導かれる４つの光ファイバ２１を受け入れることが見込まれている。空洞２６において、光ファイバ２１は分離され、それぞれが小空き導管２９のうちの１つに導かれる。その後、分離されたファイバは、小空き導管２９の先端に配置された光コネクタ１９に導かれる。
【００３８】
図示された実施形態のスプライスパックハウジング２５は、ブレイクアウトエンクロージャ１６に対して、光ファイバ２１用のケーブルグランドとして機能する。適宜、スプライスパックハウジング２５をブレイクアウトエンクロージャ１６内に配置し、小空き導管２９をさらなるケーブルグランド（図示せず）によってスプライスパックハウジング２５を超えて導くようにすることが可能である。
【００３９】
適用分野に応じて、光ファイバ２１を、代わりにまたは追加でスプライスすることが可能である。適宜、少なくとも１つの光コネクタをブレイクアウトエンクロージャ１６の内部に配置して、２つの光ファイバを相互接続することが可能である。しかしながら、これらの解決策は上記のスプライスレスの解決策に対して不利である。
【００４０】
上述したとおり、図示されている実施形態のブレイクアウトエンクロージャ１６は略円筒状の下部４を備えており、この下部４は、第１の軸線３１に沿って略円筒状の上部１０と同心に配置され、また上部１０とともにシールされている。給電ケーブル１用の第１のケーブルグランド２の第２の軸線は、第２のケーブルグランド１２の第３の軸線３３およびスプライスパックハウジング２５の第４の軸線３４（または、空き導管２９用の追加ケーブルグランド）と平行に配置されている。この配置によって、特に光ファイバ２１の好ましくない曲げを防止できる。好適な実施形態では、少なくとも１つの第２のケーブルグランド１２の第３の軸線３３および少なくとも１つのスプライスパックハウジング２５（または光ファイバ２１用の追加ケーブルグランド）の第４の軸線３４は、スプライスパックハウジング２５の第１の軸線３１に対して略平行に配置されている。しかしながら、光ファイバの曲げが悪影響を及ぼさない限りは、第１の、第２のおよび第４の軸線を互いに角度をなして配置することが可能である。例えば、適用分野に応じて、その角度を０°から９０°の範囲とすることが可能である。これは、第２のケーブルグランド１２および／または二次ブレイクアウト構造体２４がブレイクアウトエンクロージャ１６の傾斜部に配置される場合に達成できる。
【００４１】
導電体は曲げの影響を受けにくいので、第２の軸線にはさらに自由度が与えられる。例えば、ラジオリード線１４の第２の軸線を、第１のケーブルグランド２の隣のブレイクアウトエンクロージャ１６から１８０°の角度をなして配置することが可能である。適用分野に応じて、少なくとも第３の軸線３３および第４の軸線３４を、第１の軸線３１に対して半径１５ｃｍ以内に配置する。
【００４２】
図示されている実施形態では、ブレイクアウトエンクロージャ１６のピグテール側の端に、設置および／または輸送に使用するためのファスニングアイ４２が取り付けられている。例えば、ファスニングアイ４２にロープ（詳細は図示せず）を取り付けてケーブルブレイクアウトアセンブリ１００を持ち上げることが可能である。
【００４３】
図１２は、本発明に係るハイブリッドケーブルブレイクアウトアセンブリ１００のさらなる実施形態を示す。概略構成は、図８から図１１に示すケーブルブレイクアウトアセンブリと同様である。したがって、一般的な説明はこれらの図を参照する。ケーブルブレイクアウトアセンブリ１００は、ここではＵ字型のフレーム４０を有する異なるタイプのブレイクアウトエンクロージャ１６を備え、第１のケーブルグランド２および第２のケーブルグランド１２と、二次ブレイクアウト構造体２４とが、機械的安定性のためにフレーム４０に取り付けられている。フレーム４０の内部は、注型用樹脂４１で充填されており、この注型用樹脂４１は、導電体２０およびそのスプライス部（詳細は図示せず）を覆い、保護している。注型用樹脂４１は、ケースで覆われた導電体および光ファイバ２１のダクトワーク２３が見えるように部分的に切り取った形で図示されている。適宜、大ケーブルグランド２および小ケーブルグランド１２を鋳造材料で形成することが可能である。
【００４４】
図１３および図１４は、本発明に係るケーブルブレイクアウトアセンブリ１００の異なる実施形態を示している。ケーブルブレイクアウトアセンブリ１００は、電気コネクタ１８および光コネクタ１９を備えるハイブリッド構成を有している。ケーブルブレイクアウトアセンブリ１００は、通常、標準長さで製造される。図１４に示すように、給電ケーブル１の標準長さ（「ｘ」メートル）は、例えば、３０、６０または９０メートル（ｍ）である。適用分野に応じて、他の寸法とすることが可能である。給電ケーブル１の前端は、ブレイクアウトエンクロージャ１６で終端している。光ファイバ２１の後端は、標準リヤ光コネクタ３５（例えば、ＬＣコネクタ）で終端している。組み立てられた状態のリヤ光コネクタ３５および導電体２０（図１５には図示せず）を含む給電ケーブル１の後端を、後端上に置かれ、給電ケーブル１のケーブルシース１７に取り付けられた基部入口ケーブルグランド３７に装着されたプリングチューブ３６によって保護することが可能である。ケーブルブレイクアウトアセンブリ１００は、例えば、３、４または６個の光伝送線ピグテールサブアセンブリ２２と、それに対応した数の給電ピグテールサブアセンブリ１５などのいくつかの構成で作成されることが好ましい。適用分野に応じて、他の数とすることが可能である。
【００４５】
上述した内容に加えて、本発明に関連するさまざまな構成要素の特有な技術的詳細および有益な特質に関するさらなるデータを提供するために、要約の後に表および図を提供することによって、原記載の一部となし、必要であれば、さらなる明細書の記載および請求の範囲の根拠として使用することが可能である。本発明の範囲および目的から逸脱することなく、上述した本発明の具体例に対して変更を加え得ることを当業者であれば理解するべきである。
【符号の説明】
【００４６】
ａ  給電ケーブルとピグテールサブアセンブリとの間の距離（Ｘ方向）
１  給電心線ワイヤ／心線ケーブル／給電ケーブル
２  大ケーブルグランド／第１のケーブルグランド
３  大ケーブルナット／ケーブルナット
４  下部（ブレイクアウトエンクロージャ）
５〜９  スプライス、クリンプ、収縮チューブ
１０  上部（ブレイクアウトエンクロージャ）
１１  収縮ブート
１２  小ケーブルグランド（第２のケーブルグランド）
１３  小ケーブルナット
１４  ラジオリード線
１５  給電ピグテールサブアセンブリ
１６  ブレイクアウトエンクロージャ（被覆管）
１７  ケーブルシース（給電ケーブル）
１８  電気コネクタ
１９  光コネクタ
２０  導電体
２１  グラスファイバ／光ファイバ
２２  光伝送ピグテールサブアセンブリ
２３  ダクトワーク／第１の空き導管
２４  二次ブレイクアウト構造体
２５  スプライスパックハウジング
２６  内側グランド
２７  外側グランド
２８  空洞
２９  第２の空き導管／小空き導管
３０  成型化合物
３１  第１の軸線（ブレイクアウトエンクロージャ）
３２  （第１のケーブルグランドの）第２の軸線
３３  （第２のケーブルグランドの）第３の軸線
３４  （スプライスパックハウジングの）第４の軸線
３５  リヤ光コネクタ
３６  プリングチューブ
３７  基部入口ケーブルグランド
４０  フレーム
４１  注型用樹脂
４２  ファスニングアイ
１００  ケーブルブレイクアウトアセンブリ
２００  スプライスパック
２０１  入力端
２０２  中央導管部
２０３  ブレイクアウト端
２０４  ケーブルナット
２０５  マルチポートグランド
２０６  可撓性導管
【図１】
2013540410.tif 000003
【図２】
2013540410.tif 000004
【図３】
2013540410.tif 000005
【図４】
2013540410.tif 000006
【図５】
2013540410.tif 000007
【図６】
2013540410.tif 000008
【図７】
2013540410.tif 000009
【図８】
2013540410.tif 000010
【図９】
2013540410.tif 000011
【図１０】
2013540410.tif 000012
【図１１】
2013540410.tif 000013
【図１２】
2013540410.tif 000014
【図１３】
2013540410.tif 000015
【図１４】
2013540410.tif 000016
【国際調査報告】
2013540410.tif 000017
2013540410.tif 000018